(57)【要約】【課題】任意の場所で撮影された写真画像と共に、その写真画像の撮影場所に応じた適切な広告を配信することができるようにする。【解決手段】表示対象画像判定手段１ｄにより、閲覧要求で指定されたコンテンツの内容を示す電子文書で表示対象として指定されている写真データが表示対象画像と判定される。次に、表示対象広告決定手段１ｅにより、表示対象画像の撮影場所との間の距離が近い広告対象施設の広告画像が優先的に表示対象に決定される。【選択図】図１
2009211422.tif 000002
【特許請求の範囲】
【請求項１】
ネットワークを介してコンテンツを配信するコンテンツ配信サーバにおいて、
コンテンツの内容を示すと共にコンテンツ内に表示する写真データを指定する記述が含まれた電子文書、および撮影場所を示す位置情報が付与された写真データを記憶するコンテンツ記憶手段と、
広告対象施設の場所を示す位置情報に対応付けられた複数の広告画像を記憶する広告情報記憶手段と、
前記ネットワークを介して接続されたユーザ装置からコンテンツの閲覧要求を受け付ける閲覧要求受付手段と、
前記閲覧要求で指定されたコンテンツの内容を示す電子文書を前記コンテンツ記憶手段から取得し、取得した電子文書で表示対象として指定されている写真データを表示対象画像と判定する表示対象画像判定手段と、
前記表示対象画像に付与された位置情報を取得し、取得した位置情報と前記コンテンツ記憶手段内の複数の広告画像それぞれの位置情報とから、前記表示対象画像の撮影場所と複数の広告対象施設それぞれとの距離を計算し、前記表示対象画像の撮影場所との間の距離が近い広告対象施設の広告画像を優先的に表示対象に決定する表示対象広告決定手段と、
前記閲覧要求で指定されたコンテンツの内容を示す電子文書に対して、前記表示対象広告決定手段で表示対象に決定された広告画像を表示させるための広告表示記述を追加する広告付与手段と、
前記広告付与手段で広告表示記述が追加された電子文書を前記ユーザ装置に送信する電子文書送信手段と、
を有するコンテンツ配信サーバ。
【請求項２】
前記広告情報記憶手段には、広告画像に対応付けて、広告対象施設のカテゴリが登録されており、
前記表示対象広告決定手段は、前記表示対象画像の位置情報と同じ場所を示す位置情報が対応付けられた広告画像を検出し、前記広告情報記憶手段を参照して、検出した広告画像のカテゴリを判断し、検出した広告画像と同一カテゴリの広告画像の中から、前記撮影場所との間の距離が近い広告対象施設の広告画像を優先的に表示対象に決定することを特徴とする請求項１記載のコンテンツ配信サーバ。
【請求項３】
前記広告情報記憶手段には、前記広告画像に対応付けて、広告対象施設のカテゴリが登録されており、
前記表示対象画像判定手段は、前記閲覧要求で指定されたコンテンツにおいて表示対象画像に対するコメントが付与されていた場合、付与されているコメントを抽出し、
前記表示対象広告決定手段は、前記表示対象画像判定手段によって抽出されたコメントからカテゴリを示す文字列を検索し、検出された文字列で示されるカテゴリと同一カテゴリの広告画像の中から、前記撮影場所との間の距離が近い広告対象施設の広告画像を優先的に表示対象に決定することを特徴とする請求項１記載のコンテンツ配信サーバ。
【請求項４】
前記表示対象画像判定手段は、前記閲覧要求で指定されたコンテンツ内の前記表示対象画像の表示位置を示すタグの前後に記載されている文字列を、前記表示対象画像のコメントと判断することを特徴とする請求項３記載のコンテンツ配信サーバ。
【請求項５】
前記広告情報記憶手段には、前記広告画像に対応付けて、広告対象施設のカテゴリが登録されており、
前記表示対象画像判定手段は、前記閲覧要求で指定されたコンテンツにおいて表示対象画像に対するコメントが付与されていた場合、付与されているコメントを抽出し、
前記表示対象広告決定手段は、前記表示対象画像判定手段が抽出したコメントからカテゴリを示す文字列を検索し、該当文字列が検出できた場合、検出された文字列で示されるカテゴリと同一カテゴリの広告画像の中から、前記撮影場所との間の距離が近い広告対象施設の広告画像を優先的に表示対象に決定し、前記表示対象画像に対してコメントが付与されていない場合および付与されていたコメントからカテゴリを示す文字列が検出できなかった場合、前記表示対象画像の位置情報と同じ場所を示す位置情報が対応付けられた広告画像を検出し、前記広告情報記憶手段を参照して、検出した広告画像のカテゴリを判断し、検出した広告画像と同一カテゴリの広告画像の中から、前記撮影場所との間の距離が近い広告対象施設の広告画像を優先的に表示対象に決定することを特徴とする請求項１記載のコンテンツ配信サーバ。
【請求項６】
前記表示対象広告決定手段は、前記表示対象画像が複数ある場合、複数の前記表示対象画像のいずれかとの間の距離が近い広告画像を優先的に表示対象に決定することを特徴とする請求項１記載のコンテンツ配信サーバ。
【請求項７】
前記コンテンツ記憶手段に格納された写真データは、位置情報として撮影場所の緯度・経度が付与されていることを特徴とする請求項１記載のコンテンツ配信サーバ。
【請求項８】
前記広告情報記憶手段には、広告画像が格納された複数の広告画像ファイルと、広告の位置情報と広告画像ファイルとの対応関係が登録された広告管理テーブルとが格納されていることを特徴とする請求項１記載のコンテンツ配信サーバ。
【請求項９】
ネットワークを介してコンテンツをコンピュータで配信するためのコンテンツ配信プログラムであって、
前記コンピュータを、
コンテンツの内容を示すと共にコンテンツ内に表示する写真データを指定する記述が含まれた電子文書、および撮影場所を示す位置情報が付与された写真データを記憶するコンテンツ記憶手段、
広告対象施設の場所を示す位置情報に対応付けられた複数の広告画像を記憶する広告情報記憶手段、
前記ネットワークを介して接続されたユーザ装置からコンテンツの閲覧要求を受け付ける閲覧要求受付手段、
前記閲覧要求で指定されたコンテンツの内容を示す電子文書を前記コンテンツ記憶手段から取得し、取得した電子文書で表示対象として指定されている写真データを表示対象画像と判定する表示対象画像判定手段、
前記表示対象画像に付与された位置情報を取得し、取得した位置情報と前記コンテンツ記憶手段内の複数の広告画像それぞれの位置情報とから、前記表示対象画像の撮影場所と複数の広告対象施設それぞれとの距離を計算し、前記表示対象画像の撮影場所との間の距離が近い広告対象施設の広告画像を優先的に表示対象に決定する表示対象広告決定手段、
前記閲覧要求で指定されたコンテンツの内容を示す電子文書に対して、前記表示対象広告決定手段で表示対象に決定された広告画像を表示させるための広告表示記述を追加する広告付与手段、
前記広告付与手段で広告表示記述が追加された電子文書を前記ユーザ装置に送信する電子文書送信手段、
として機能させるコンテンツ配信プログラム。
【請求項１０】
ネットワークを介してコンテンツをコンピュータで配信するためのコンテンツ配信方法であって、
前記コンピュータが、
前記ネットワークを介して接続されたユーザ装置からコンテンツの閲覧要求を受け付け、
コンテンツの内容を示すと共にコンテンツ内に表示する写真データを指定する記述が含まれた電子文書、および撮影場所を示す位置情報が付与された写真データを記憶するコンテンツ記憶手段から、前記閲覧要求で指定されたコンテンツの内容を示す電子文書を取得し、取得した電子文書で表示対象として指定されている写真データを表示対象画像と判定し、
前記表示対象画像に付与された位置情報を取得し、複数の広告画像それぞれに対応付けて広告情報記憶手段に記憶された広告対象施設の場所を示す位置情報と、取得した位置情報とから、前記表示対象画像の撮影場所と複数の広告対象施設それぞれとの距離を計算し、前記表示対象画像の撮影場所との間の距離が近い広告対象施設の広告画像を優先的に表示対象に決定し、
前記閲覧要求で指定されたコンテンツの内容を示す電子文書に対して、表示対象に決定された広告画像を表示させるための広告表示記述を追加し、
広告表示記述が追加された電子文書を前記ユーザ装置に送信する、
コンテンツ配信方法。
【発明の詳細な説明】
【技術分野】
【０００１】
本発明はネットワークを介してコンテンツを配信するコンテンツ配信サーバ、コンテンツ配信プログラム、およびコンテンツ配信方法に関し、特に写真を含むコンテンツを配信するコンテンツ配信サーバ、コンテンツ配信プログラム、およびコンテンツ配信方法に関する。
【背景技術】
【０００２】
近年、情報通信技術の発達とインターネットの利用者の増加に伴い、インターネットを用いて様々なサービスが提供されている。インターネットによるサービスには、ウェブサーバ内の記憶領域の一部を、一般のユーザに対する個人のウェブサイト用のデータ格納場所として提供するものがある。このような一般ユーザ向けのサービスでは、ウェブサイトを開設するユーザに対しては無料あるいは格安でサービスを提供し、そのウェブサイトに付与する広告料で実質的な収入を得る場合がある。また、ウェブサイトに表示された広告を経由して広告主のサイトにアクセスが行われると、ウェブサイトの開設者に対して報酬などの利益還元が行われる場合もある。
【０００３】
広告料で収入を得る場合、ウェブサイトを閲覧した閲覧者が広告に興味を持つように工夫する必要がある。例えば、動画の撮影場所に関連する商品やサービスの広告を、撮影された動画を配信する携帯通信端末に表示する技術がある（例えば、特許文献１参照）。この技術では、カメラを設置する場所は固定されており、カメラの位置（例えば、幼稚園内）が予め分かっている。そのため、カメラの映像の配信先（例えば、園児の保護者）が特定でき、適切な広告（子供服や玩具）を予め決定しておくことができる。
【特許文献１】特開２００２−３０４５６９号公報
【発明の開示】
【発明が解決しようとする課題】
【０００４】
しかし、特許文献１の技術は、不特定多数の場所で撮影された画像や映像に対して、適切な広告を付与することができない。すなわち、様々なユーザから提供された写真などの画像を配信するウェブサイトで広告を提供する場合、画像がアップロードされるまで、サービスの提供者では、どこで撮影した画像なのかを知ることはできない。そのため、画像に興味を示す閲覧者の傾向も予想することができず、画像の配信先に応じた適切な広告を選択することもできない。
【０００５】
本発明はこのような点に鑑みてなされたものであり、任意の場所で撮影された写真画像と共に、その写真画像の撮影場所に応じた適切な広告を配信することができるコンテンツ配信サーバ、コンテンツ配信プログラム、およびコンテンツ配信方法を提供することを目的とする。
【課題を解決するための手段】
【０００６】
上記課題を解決するために、以下の機能を有するネットワークを介してコンテンツを配信するコンテンツ配信サーバが提供される。
コンテンツ記憶手段は、コンテンツの内容を示すと共にコンテンツ内に表示する写真データを指定する記述が含まれた電子文書、および撮影場所を示す位置情報が付与された写真データを記憶する。広告情報記憶手段は、広告対象施設の場所を示す位置情報に対応付けられた複数の広告画像を記憶する。閲覧要求受付手段は、ネットワークを介して接続されたユーザ装置からコンテンツの閲覧要求を受け付ける。表示対象画像判定手段は、閲覧要求で指定されたコンテンツの内容を示す電子文書をコンテンツ記憶手段から取得し、取得した電子文書で表示対象として指定されている写真データを表示対象画像と判定する。表示対象広告決定手段は、表示対象画像に付与された位置情報を取得し、取得した位置情報とコンテンツ記憶手段内の複数の広告画像それぞれの位置情報とから、表示対象画像の撮影場所と複数の広告対象施設それぞれとの距離を計算し、表示対象画像の撮影場所との間の距離が近い広告対象施設の広告画像を優先的に表示対象に決定する。広告付与手段は、閲覧要求で指定されたコンテンツの内容を示す電子文書に対して、表示対象広告決定手段で表示対象に決定された広告画像を表示させるための広告表示記述を追加する。電子文書送信手段は、広告付与手段で広告表示記述が追加された電子文書をユーザ装置に送信する。
【０００７】
このようなコンテンツ配信サーバによれば、コンテンツの閲覧要求を受け付けると、閲覧要求で指定されたコンテンツで表示対象として指定されている写真データが表示対象画像と判定される。次に、表示対象画像の撮影場所との間の距離が近い広告対象施設の広告画像を優先的に表示対象に決定される。さらに、閲覧要求で指定されたコンテンツの内容を示す電子文書に対して、広告画像を表示させるための広告表示記述を追加される。そして、広告表示記述が追加された電子文書がユーザ装置に送信される。
【０００８】
また、上記コンテンツ配信サーバと同様の機能をコンピュータで実行させるためのコンテンツ配信プログラムが提供される。さらに、上記コンテンツ配信サーバと同様の処理をコンピュータで行うコンテンツ配信方法が提供される。
【発明の効果】
【０００９】
本発明では、表示対象画像である写真データの撮影場所に近い広告対象施設の広告画像が、優先的にコンテンツ内に表示される。
【発明を実施するための最良の形態】
【００１０】
以下、本発明の実施の形態を図面を参照して説明する。
図１は、実施の形態の概要を示す図である。ネットワークを介してコンテンツを配信するコンテンツ配信サーバ１は、コンテンツ記憶手段１ａ、広告情報記憶手段１ｂ、閲覧要求受付手段１ｃ、表示対象画像判定手段１ｄ、表示対象広告決定手段１ｅ、広告付与手段１ｆ、および電子文書送信手段１ｇを有している。
【００１１】
コンテンツ記憶手段１ａは、コンテンツの内容を示すと共にコンテンツ内に表示する写真データを指定する記述が含まれた電子文書を記憶する。電子文書は、例えば、ＨＴＭＬ（HyperText Markup Language）で記述されたウェブページ用の文書である。ＨＴＭＬであれば、インライン表示用のタグを用いて、コンテンツ内に表示する写真データを指定することができる。また、コンテンツ記憶手段１ａは、撮影場所を示す位置情報が付与された写真データを記憶する。
【００１２】
広告情報記憶手段１ｂは、広告対象施設の場所を示す位置情報に対応付けられた複数の広告画像を記憶する。
閲覧要求受付手段１ｃは、ネットワークを介して接続されたユーザ装置２からコンテンツの閲覧要求を受け付ける。
【００１３】
表示対象画像判定手段１ｄは、閲覧要求で指定されたコンテンツの内容を示す電子文書をコンテンツ記憶手段１ａから取得する。さらに、表示対象画像判定手段１ｄは、取得した電子文書で表示対象として指定されている写真データを表示対象画像と判定する。
【００１４】
表示対象広告決定手段１ｅは、表示対象画像に付与された位置情報を取得する。次に、表示対象広告決定手段１ｅは、取得した位置情報とコンテンツ記憶手段１ａ内の複数の広告画像それぞれの位置情報とから、表示対象画像の撮影場所と複数の広告対象施設それぞれとの距離を計算する。そして、表示対象広告決定手段１ｅは、表示対象画像の撮影場所との間の距離が近い広告対象施設の広告画像を優先的に表示対象に決定する。
【００１５】
広告付与手段１ｆは、閲覧要求で指定されたコンテンツの内容を示す電子文書に対して、表示対象広告決定手段１ｅで表示対象に決定された広告画像を表示させるための広告表示記述を追加する。例えば、広告付与手段１ｆは、電子文書内に広告画像を表示するためのフレームを設け、そのフレーム内に広告画像をインライン表示するための技術を追加する。
【００１６】
電子文書送信手段１ｇは、広告付与手段で広告表示記述が追加された電子文書をユーザ装置２に送信する。
このようなコンテンツ配信サーバ１に対して、ユーザ装置２からコンテンツの閲覧要求が送信されると、その閲覧要求が閲覧要求受付手段１ｃで受け付けられる。次に、表示対象画像判定手段１ｄにより、閲覧要求で指定されたコンテンツの内容を示す電子文書がコンテンツ記憶手段１ａから取得される。さらに、表示対象画像判定手段１ｄにより、取得した電子文書で表示対象として指定されている写真データが表示対象画像と判定される。
【００１７】
表示対象画像が判定されると、表示対象広告決定手段１ｅにより、表示対象画像に付与された位置情報が取得される。次に、表示対象広告決定手段１ｅにより、取得した位置情報とコンテンツ記憶手段１ａ内の複数の広告画像それぞれの位置情報とから、表示対象画像の撮影場所と複数の広告対象施設それぞれとの距離が計算される。そして、表示対象広告決定手段１ｅにより、表示対象画像の撮影場所との間の距離が近い広告対象施設の広告画像が優先的に表示対象に決定される。
【００１８】
表示対象の広告画像が決定されると、広告付与手段１ｆにより、閲覧要求で指定されたコンテンツの内容を示す電子文書に対して、表示対象広告決定手段１ｅで表示対象に決定された広告画像を表示させるための広告表示記述が追加される。そして、電子文書送信手段１ｇにより、広告付与手段で広告表示記述が追加された電子文書をユーザ装置２に送信される。
【００１９】
このようにして、電子文書内に表示される写真データの撮影場所に近い広告対象施設の広告を優先的に電子文書に追加することができる。その結果、表示対象画像である写真データの撮影場所に近い広告対象施設の広告画像が、優先的にコンテンツ内に表示される。これにより、写真の撮影場所の地域にあった広告を表示することができる。
【００２０】
広告画像を付与した電子文書の配信は、インターネット経由のウェブページ配信において多用されている。そこで、ＷＷＷ（World Wide Web）技術を利用して、位置情報に基づく適切な広告画像を配信する場合を例に採り、以下に実施の形態を具体的に説明する。
【００２１】
図２は、本実施の形態のシステム構成例を示す図である。インターネット１０には、ウェブサーバ１００，４１，４２、携帯電話機２１、およびユーザ装置２２，３１が接続されている。
【００２２】
ウェブサーバ１００は、ポータルサイトを提供している。また、ウェブサーバ１００には、情報提供者２０が作成した個人用のウェブページが設けられている。さらに、ウェブサーバ１００では、個人用のウェブページに、企業などの広告を自動的に付与するサービスを提供している。なお、広告は、ウェブサーバ１００の管理者に広告主が広告の掲載を依頼し、広告費を納めることで登録される。
【００２３】
ウェブサーバ４１，４２は、ポータルサイトのウェブサーバ１００を介して広告を提供している広告主が管理するウェブサイトを提供している。
情報提供者２０は、携帯電話機２１やユーザ装置２２を用いて、ウェブサーバ１００に写真付きの情報をアップロードする。携帯電話機２１は、インターネット１０を介した通信が可能であり、ＧＰＳ（Global Positioning System）受信機により位置情報を取得可能であり、かつカメラを備えている。情報提供者２０は、携帯電話機２１を用いて任意の場所で写真撮影を行う。携帯電話機２１は、写真撮影がされると、ＧＰＳによってそのときの位置情報を取得し、写真データに付与する。各種情報が付与可能な写真データのデータ形式としては、例えば、Ｅｘｉｆ（Exchangeable Image File Format）がある。情報提供者２０は、携帯電話機２１を操作し、位置情報が付与された写真データを、ウェブサーバ１００にアップロードする。
【００２４】
また、ユーザ装置２２には、カメラ２３を接続することができる。情報提供者２０は、カメラ２３を用いて写真撮影を行う。情報提供者２０は、カメラ２３に保存された写真データをユーザ装置２２に転送する。さらに、情報提供者２０は、ユーザ装置２２を操作し、カメラ２３で撮影した場所を示す位置情報を写真データに付与する。例えば、情報提供者２０は、撮影場所の住所が分かれば、地図と照らし合わせることで緯度・経度を知ることができる。情報提供者２０は、ユーザ装置２２を操作して、撮影場所の緯度・経度を位置情報として写真データに付与し、位置情報付きの写真データをウェブサーバ１００にアップロードする。
【００２５】
情報閲覧者３０は、ユーザ装置３１を操作して、ウェブサーバ１００に設けられた情報提供者２０のウェブサイトにアクセスする。
なお、ウェブサーバ１００では、個人用のウェブページ内に表示する写真画像を示す写真データに対して、撮影場所を示す位置情報が付与されている。そして、ウェブサーバ１００は、ウェブページを送信する際に、ウェブページ内に表示される写真の撮影場所の近くの店に関する広告画像を同時に送信する。これにより、情報閲覧者３０は、情報提供者２０がアップロードした写真データを閲覧できる。このとき、ユーザ装置３１に表示されたページには、ページ内の写真データの撮影場所近くに店舗などを構える広告主の広告が表示される。情報閲覧者３０がユーザ装置３１を操作し、表示された広告を選択すれば、その広告に対応する広告主サイトにアクセスすることができる。
【００２６】
ユーザ装置３１から広告主のウェブサーバ４１，４２へのアクセスが行われると、広告主が提供するウェブページがユーザ装置３１に表示される。すると、広告を掲載した個人用のウェブページの作成者に対しては、広告主から、金銭の支払いや、商品と交換可能なポイントの付与などの利益還元が行われる。そのため、情報提供者２０は、還元がより多く受けられるように、写真をたくさん掲載したり、広告主の店舗での写真を多く掲載するような工夫を凝らすものと考えられる。
【００２７】
図３は、本実施の形態に用いるウェブサーバのハードウェア構成例を示す図である。ウェブサーバ１００は、ＣＰＵ（Central Processing Unit）１０１によって装置全体が制御されている。ＣＰＵ１０１には、バス１０７を介してＲＡＭ（Random Access Memory）１０２、ハードディスクドライブ（ＨＤＤ:Hard Disk Drive）１０３、グラフィック処理装置１０４、入力インタフェース１０５、および通信インタフェース１０６が接続されている。
【００２８】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションプログラムが格納される。
【００２９】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。入力インタフェース１０５は、キーボード１２やマウス１３から送られてくる信号を、バス１０７を介してＣＰＵ１０１に送信する。
【００３０】
通信インタフェース１０６は、インターネット１０に接続されている。通信インタフェース１０６は、インターネット１０を介して、他のコンピュータとの間でデータの送受信を行う。
【００３１】
以上のようなハードウェア構成によって、本実施の形態の処理機能を実現することができる。なお、図３には、ウェブサーバ１００のハードウェア構成を示したが、他のウェブサーバ４１，４２やユーザ装置２２、３１も同様のハードウェア構成で実現することができる。
【００３２】
図４は、ポータルサイトのウェブサーバの機能を示すブロック図である。ウェブサーバ１００は、個人サイト情報記憶部１１０，広告情報記憶部１２０、情報登録受付部１３０、アクセス受付部１４０、表示対象画像判定部１５０、表示対象広告決定部１６０、広告付与部１７０、ページデータ送信部１８０および表示画像送信部１９０を有している。
【００３３】
個人サイト情報記憶部１１０は、情報提供者２０がアップロードしたウェブページの情報（ページデータ）を記憶する記憶機能である。例えば、ＨＤＤ１０３の記憶領域の一部が個人サイト情報記憶部１１０として使用される。
【００３４】
広告情報記憶部１２０は、バナー広告などの広告データや、各広告で示される商品やサービスが属するカテゴリなどを管理する広告管理情報を記憶する記憶機能である。例えば、ＨＤＤ１０３の記憶領域の一部が広告情報記憶部１２０として使用される。
【００３５】
情報登録受付部１３０は、情報提供者２０の使用する携帯電話機２１やユーザ装置２２から、ウェブサイトで公開するページデータの登録要求を受け付ける。例えば、ウェブページのＨＴＭＬ文書や、位置情報を含む画像データの登録要求を受け付ける。情報登録受付部１３０は、ページデータの登録要求を受信すると、情報提供者２０のユーザ認証を行い個人サイト情報記憶部１１０の使用が許可されたユーザであることを確認する。ユーザ認証としては、例えば、携帯電話機２１やユーザ装置２２からユーザＩＤやパスワードを送信させ、情報登録受付部１３０に予め登録されているユーザの認証情報（ユーザＩＤとパスワードとの組）と照合する。そして、情報登録受付部１３０は、情報提供者２０のユーザ認証が正しく終了すると、登録要求に伴って送られたページデータを、個人サイト情報記憶部１１０に格納する。
【００３６】
アクセス受付部１４０は、情報閲覧者３０が使用するユーザ装置３１からの個人サイト情報への閲覧要求を受け付ける。すなわち、個人サイト情報記憶部１１０に登録された各ページデータには、個別のＵＲＬが付与されている。情報閲覧者３０が、ユーザ装置３１から個人サイト情報記憶部１１０内の情報に付与されＵＲＬを指定した閲覧要求を受け付ける。
【００３７】
アクセス受付部１４０は、受け付けた閲覧要求が、ページデータの取得要求（例えば、拡張子がhtmlのファイルの取得要求）か、表示画像の取得要求（例えば、拡張子がgifやjpgなどのファイルの取得要求）かを判別する。すなわち、情報閲覧者３０が使用するユーザ装置３１においてウェブページを閲覧する場合、ウェブサーバ１００に対して、最初にページデータの取得要求が送信される。そして、ユーザ装置３１で取得したページデータの構造が解析され、インライン表示すべき画像のＵＲＬを検出すると、その表示画像の取得要求をウェブサーバ１００に対して送信する。
【００３８】
従って、ユーザ装置３１でウェブページを表示するときは、ページデータの取得要求と、表示画像の取得要求とが個別にウェブサーバ１００に出されている。そのため、アクセス受付部１４０では、受け付けた閲覧要求がページデータの取得要求か表示画像の取得要求かの判別を行っている。受け付けた閲覧要求がページデータの取得要求であれば、アクセス受付部１４０は、ページデータに対して広告をインライン表示する記述を追加するために、閲覧要求を表示対象画像判定部１５０と広告付与部１７０とに渡す。受け付けた閲覧要求が表示画像の取得要求であれば、アクセス受付部１４０は、閲覧要求を表示画像送信部１９０に渡す。
【００３９】
表示対象画像判定部１５０は、アクセス受付部１４０から閲覧要求を受け取ると、個人サイト情報記憶部１１０から閲覧要求に示されるページデータ（例えば、ＨＴＭＬ文書）を取得する。次に、表示対象画像判定部１５０は、取得したページデータを解析して、そのページデータ内に表示される画像データを判定する。例えば、表示対象画像判定部１５０は、取得したページデータがＨＴＭＬ文書であれば、画像のインライン表示を示すタグを検索し、そのタグで示される画像データのＵＲＬによって、表示すべき画像データを特定する。そして、表示対象画像判定部１５０は、閲覧要求に示されるページデータ内に表示する画像データを個人サイト情報記憶部１１０から取得し、表示対象広告決定部１６０に渡す。このとき、表示対象画像判定部１５０は、閲覧要求に示されるページデータから、表示する画像データに対して付与されているコメント（例えば、インライン表示を示すタグの前後の文字列）を抽出し、画像データと共に表示対象広告決定部１６０に渡す。
【００４０】
表示対象広告決定部１６０は、表示対象画像判定部１５０から画像データに付与された位置情報に基づいて表示対象広告を決定する。その際、画像データに付与されたコメントに基づいて、表示対象広告の絞り込みが行われる。すなわち、表示対象広告決定部１６０は、広告情報記憶部１２０を参照し、表示する画像データに付与されている位置情報で示される場所付近の位置情報が付与された広告を、表示対象広告として決定する。また、表示対象広告決定部１６０は、表示する画像データに付与された位置情報と同じ場所を示す位置情報が付与された広告がある場合、その広告と同一カテゴリの広告を表示対象とする。さらに、表示対象広告決定部１６０は、表示する画像データに対してコメントが付与されているとき、そのコメントの文字列で広告が画像データの絞り込みを行う。表示対象広告決定部１６０は、表示すべき広告が決定されると、その広告の情報（広告の識別番号）を広告付与部１７０に通知する。
【００４１】
広告付与部１７０は、アクセス受付部１４０から渡された閲覧要求で示されるページデータを個人サイト情報記憶部１１０から取得する。また、広告付与部１７０は、表示対象広告決定部１６０から通知された表示対象広告の広告データを、広告情報記憶部１２０から取得する。そして、広告付与部１７０は、取得したページデータに表示対象広告をインライン表示する記述を追加する。そして、広告付与部１７０は、広告表示用の記述を追加したページデータを、ページデータ送信部１８０に渡す。
【００４２】
ページデータ送信部１８０は、広告付与部１７０から渡されたページデータを、閲覧要求の送信元であるユーザ装置３１に送信する。これにより、ページデータを閲覧するユーザ装置３１では、広告が付与されたページが表示される。
【００４３】
表示画像送信部１９０は、アクセス受付部１４０から表示画像の取得要求である閲覧要求を受け取ると、該当する画像を個人サイト情報記憶部１１０や広告情報記憶部１２０から取得する。そして、表示画像送信部１９０は、取得した表示画像をユーザ装置３１に送信する。
【００４４】
次に、個人サイト情報記憶部１１０と広告情報記憶部１２０との格納される情報について詳細に説明する。
図５は、個人サイト情報記憶部のデータ構造例を示す図である。個人サイト情報記憶部１１０には、複数のページデータ１１１，１１１ａ，１１１ｂ，・・・と複数の写真データ１１２，１１２ａ，１１２ｂ，・・・が格納されている。
【００４５】
図６は、写真データのデータ構造例を示す図である。写真データ１１２は、位置情報部１１３と画像データ部１１４とを有している。位置情報部１１３には、画像データ部１１４に示される画像を撮影した場所を示す位置情報が設定されている。図６の例では、<gpsLatitudeRef>N</gpsLatitudeRef>によって、「北緯」であることが示されている。<gpsLatitude>35/41/7.74</gpsLatitude>によって、「緯度」が示されている。<gpsLongitudeRef>E</gpsLongitudeRef>によって、「東経」であることが示されている。<gpsLongitude>139/48/7.74</gpsLongitude>によって、「経度」が示されている。
【００４６】
また、画像データ部１１４には、ＧＩＦ（Graphics Interchange Format）やＪＰＥＧ（Joint Photographic Coding Experts Group）などの汎用の圧縮技術を利用したデータフォーマットの画像が設定される。写真データ１１２としては、例えばＥｘｉｆ形式のデータを利用できる。
【００４７】
図７は、広告情報記憶部のデータ構造例を示す図である。広告情報記憶部１２０には、複数の広告データ１２１，１２１ａ，１２１ｂ，・・・と広告管理テーブル１２２とが設けられている。広告データ１２１，１２１ａ，１２１ｂ，・・・は、バナー広告であり、商品やサービスの広告画像と、広告主のウェブサイトへのリンク情報とが含まれている。
【００４８】
広告管理テーブル１２２は、広告データ１２１，１２１ａ，１２１ｂ，・・・それぞれに関する位置情報などの管理情報が格納されたデータテーブルである。
図８は、広告管理テーブルのデータ構造例を示す図である。広告管理テーブル１２２には、広告ＩＤ、位置情報、ＵＲＬ、およびカテゴリの欄が設けられている。
【００４９】
広告ＩＤの欄には、広告データを一意に識別するための識別情報が設定される。位置情報の欄には、広告データに示される広告に関連する場所の位置情報が設定される。広告に関連する場所とは、例えば、レストランの広告であれば店舗の場所である。位置情報の欄は、緯度と経度との欄に分かれている。緯度の欄には、広告に関連する場所の緯度が設定される。経度の欄には、広告に関連する場所の経度が設定される。ＵＲＬの欄には、広告データのＵＲＬが設定される。カテゴリの欄には、広告のカテゴリが設定される。カテゴリは、例えば、レストランや美術館などである。
【００５０】
以上のような構成のウェブサーバ１００によって、画像の位置情報に基づいて、その画像に合わせた広告が配信される。以下、広告付きのウェブページ配信処理の手順について詳細に説明する。
【００５１】
図９は、ウェブページ配信処理の手順を示すフローチャートである。以下、図９に示す処理をステップ番号に沿って説明する。この処理は、ユーザ装置３１から個人サイト情報記憶部１１０内のページデータの取得を示す閲覧要求をアクセス受付部１４０が受信したときに開始される。
【００５２】
［ステップＳ１１］アクセス受付部１４０は、受信した閲覧要求を表示対象画像判定部１５０に渡す。すると、表示対象画像判定部１５０は、個人サイト情報記憶部１１０から表示対象となるページデータを取得する。
【００５３】
［ステップＳ１２］表示対象画像判定部１５０は、取得したページデータからインライン表示すべき写真データを示す記述を検索する。そして、表示対象画像判定部１５０は、インライン表示すべき写真データを個人サイト情報記憶部１１０から取得し、表示対象広告決定部１６０に渡す。なお、インライン表示すべき写真データは、１つだけの場合と、複数の場合とがある。
【００５４】
［ステップＳ１３］表示対象画像判定部１５０は、ページデータ内のインライン表示すべき写真データに関する記述に対して、コメントが付加されているか否かを判断する。コメントがあれば、そのコメントが表示対象広告決定部１６０に渡され処理がステップＳ１４に進められる。コメントがなければ、処理がステップＳ１７に進められる。
【００５５】
［ステップＳ１４］表示対象広告決定部１６０は、インライン表示すべき写真データから位置情報を抽出する。このとき、インライン表示すべき写真データが複数あれば、複数の位置情報が抽出される。表示対象広告決定部１６０は、同一の場所を示す複数の位置情報が抽出された場合、１つの位置情報を残して他の位置情報を破棄する（重複を排除する）。そして、表示対象広告決定部１６０は、残された位置情報が１つか、あるいは複数かを判断する。残された位置情報が１つであれば、処理がステップＳ１５に進められる。残された位置情報が複数であれば、処理がステップＳ１６に進められる。
【００５６】
［ステップＳ１５］表示対象広告決定部１６０は、単一の位置情報に基づくコメント対応広告選択処理を行う。この処理の詳細は後述する（図１０参照）。その後、処理がステップＳ２４に進められる。
【００５７】
［ステップＳ１６］表示対象広告決定部１６０は、複数の位置情報に基づくコメント対応広告選択処理を行う。この処理の詳細は後述する（図１１参照）。その後、処理がステップＳ２４に進められる。
【００５８】
［ステップＳ１７］表示対象広告決定部１６０は、インライン表示すべき写真データから位置情報を抽出する。このとき、インライン表示すべき写真データが複数あれば、複数の位置情報が抽出され、重複は排除される。そして、表示対象広告決定部１６０は、広告管理テーブル１２２を参照し、写真データの位置情報と合致する位置情報を有する広告を検索する。このとき、写真データの位置情報から所定の誤差の範囲内の位置情報であれば、合致するものと判断する。位置情報が合致する広告があれば、処理がステップＳ１８に進められる。位置情報が合致する広告がなければ、処理がステップＳ２１に進められる。
【００５９】
［ステップＳ１８］表示対象広告決定部１６０は、広告と合致した位置情報が１つだけか否かを判断する。合致した位置情報が１つだけであれば、処理がステップＳ１９に進められる。合致した位置情報が複数あれば、処理がステップＳ２０に進められる。
【００６０】
［ステップＳ１９］表示対象広告決定部１６０は、単一の位置情報に基づくカテゴリ対応広告選択処理を行う。この処理の詳細は後述する（図１２参照）。その後、処理がステップＳ２４に進められる。
【００６１】
［ステップＳ２０］表示対象広告決定部１６０は、複数の位置情報に基づくカテゴリ対応広告選択処理を行う。この処理の詳細は後述する（図１３参照）。その後、処理がステップＳ２４に進められる。
【００６２】
［ステップＳ２１］表示対象広告決定部１６０は、インライン表示すべき写真データから位置情報を抽出する。このとき、インライン表示すべき写真データが複数あれば、複数の位置情報が抽出され、重複は排除される。そして、表示対象広告決定部１６０は、位置情報が１つか、あるいは複数かを判断する。位置情報が１つであれば、処理がステップＳ２２に進められる。位置情報が複数であれば、処理がステップＳ２３に進められる。
【００６３】
［ステップＳ２２］表示対象広告決定部１６０は、単一の位置情報に基づく広告選択処理を行う。この処理の詳細は後述する（図１４参照）。その後、処理がステップＳ２４に進められる。
【００６４】
［ステップＳ２３］表示対象広告決定部１６０は、複数の位置情報に基づく広告選択処理を行う。この処理の詳細は後述する（図１５参照）。
［ステップＳ２４］広告付与部１７０は、選択された広告をインライン表示する記述をステップＳ１１で取得したページデータに付与する。そして、ページデータ送信部１８０が、そのページデータをユーザ装置３１に送信する。
【００６５】
次に、個々の広告選択処理の詳細について説明する。まず最初に、写真データから１つの位置情報のみが抽出され、且つ写真データにコメントが付与されていた場合の広告選択処理について説明する。
【００６６】
図１０は、単一の位置情報に基づくコメント対応広告選択処理の手順を示すフローチャートである。以下、図１０に示す処理をステップ番号に沿って説明する。
［ステップＳ３１］表示対象広告決定部１６０は、写真データから抽出された単一の位置情報を取得する。
【００６７】
［ステップＳ３２］表示対象広告決定部１６０は  写真撮影位置に近い広告を近傍広告数Ｘ（Ｘは、１以上の自然数）に絞り込む。具体的には、表示対象広告決定部１６０は、広告管理テーブル１２２を参照し、各広告の位置情報に示される緯度・経度と、写真データの位置情報で示される緯度・経度とから、写真撮影位置と広告対象の位置との距離を計算する。緯度・経度に基づく距離は、緯度の差に応じた南北方向の距離の変位の２乗と、経度の差に応じた東西方向の距離の変位の２乗とを加算し、加算結果の平方根を計算することで算出できる。緯度の差に応じた南北方向の距離の変位は、緯度の差をラジアン単位で表し、地球の半径に乗算することで算出できる。経度の差に応じた東西方向の距離の変位を算出する場合、まず地球の半径に対して、緯度（写真データの緯度）のラジアン単位での値のコサイン（余弦）を乗算する。これにより、該当場所での地軸からの距離が求められる。そして、経度の差をラジアン単位で表し、地軸からの距離に乗算することで東西方向の距離の変位が求められる。
【００６８】
表示対象広告決定部１６０は、写真データの位置情報に近い位置情報を有する広告から順に近傍広告数Ｘ分の広告を選択する。
［ステップＳ３３］表示対象広告決定部１６０は、ページデータから、写真データのインライン表示位置に示されるコメントの文字列を取得する。
【００６９】
［ステップＳ３４］表示対象広告決定部１６０は、取得した文字列で広告をさらに絞り込む。具体的には、表示対象広告決定部１６０は、取得した文字列から広告のカテゴリを示す文字列を抽出する。例えば、「ＡＡレストランにおいて撮影」という文字列が取得できた場合、そこから「レストラン」というカテゴリを示す文字列が抽出される。次に、表示対象広告決定部１６０は、ステップＳ３２で選択した広告から、抽出した文字列に該当するカテゴリの広告を検索する。なお、各広告が属するカテゴリは、広告管理テーブル１２２を参照して判断できる。
【００７０】
［ステップＳ３５］表示対象広告決定部１６０は、ステップＳ３４において該当する広告がヒットしたか否かを判断する。該当する広告が見つかった場合、処理がステップＳ３７に進められる。該当する広告が見つからなかった場合、処理がステップＳ３６に進められる。
【００７１】
［ステップＳ３６］表示対象広告決定部１６０は、コメントから抽出された文字列で示されるカテゴリの広告が検出できなかった場合、広告の選択範囲を広げる。具体的には、近傍広告数Ｘの値を増やす。その後、処理がステップＳ３２に進められ、再度近傍広告の絞り込みが行われる。
【００７２】
［ステップＳ３７］表示対象広告決定部１６０は、写真データの位置情報への近さに応じたポイントを、ステップＳ３５でヒットした広告に対して付与する。すなわち、写真データの位置情報と広告の位置情報との間の距離が近い程、高いポイントが与えられる。
【００７３】
［ステップＳ３８］表示対象広告決定部１６０は、ポイントの高い広告を所定数選択し、表示対象広告とする。
このようにして、１つの位置情報に基づいて、コメントに応じた広告を選択することができる。
【００７４】
次に、写真データから複数の位置情報が抽出され、且つ写真データにコメントが付与されていた場合の広告選択処理について説明する。
図１１は、複数の位置情報に基づくコメント対応広告選択処理の手順を示すフローチャートである。以下、図１１に示す処理をステップ番号に沿って説明する。
【００７５】
［ステップＳ４１］表示対象広告決定部１６０は、写真データから抽出された複数の位置情報を取得する。
［ステップＳ４２］表示対象広告決定部１６０は、異なった位置情報の数をＮ（Ｎは１以上の自然数）とする。
【００７６】
［ステップＳ４３］表示対象広告決定部１６０は、未選択の位置情報の中から、位置情報を１つ選択する。
［ステップＳ４４］表示対象広告決定部１６０は  選択した位置情報が示す位置に近い広告を近傍広告数Ｘ（Ｘは、１以上の自然数）に絞り込む。具体的には、表示対象広告決定部１６０は、広告管理テーブル１２２を参照し、各広告の位置情報に示される緯度・経度と、選択した位置情報で示される緯度・経度とから、選択した位置情報で示される位置と広告対象の位置との距離を計算する。そして、表示対象広告決定部１６０は、選択した位置情報に近い位置情報を有する広告から順に近傍広告数Ｘ分の広告を選択する。
【００７７】
［ステップＳ４５］表示対象広告決定部１６０は、ページデータから、選択した位置情報の抽出元となる写真データのインライン表示位置に示されるコメントの文字列を取得する。
【００７８】
［ステップＳ４６］表示対象広告決定部１６０は、取得した文字列で広告をさらに絞り込む。具体的には、表示対象広告決定部１６０は、取得した文字列から広告のカテゴリを示す文字列を抽出する。次に、表示対象広告決定部１６０は、ステップＳ４４で選択した広告から、抽出した文字列に該当するカテゴリの広告を検索する。
【００７９】
［ステップＳ４７］表示対象広告決定部１６０は、ステップＳ４６において該当する広告がヒットしたか否かを判断する。該当する広告が見つかった場合、処理がステップＳ４９に進められる。該当する広告が見つからなかった場合、処理がステップＳ４８に進められる。
【００８０】
［ステップＳ４８］表示対象広告決定部１６０は、コメントから抽出された文字列で示されるカテゴリの広告が検出できなかった場合、広告の選択範囲を広げる。具体的には、近傍広告数Ｘの値を増やす。その後、処理がステップＳ４４に進められ、再度近傍広告の絞り込みが行われる。
【００８１】
［ステップＳ４９］表示対象広告決定部１６０は、ステップＳ４３で選択した位置情報への近さに応じたポイントを、ステップＳ３５でヒットした広告に対して付与する。
［ステップＳ５０］表示対象広告決定部１６０は、ステップＳ４３においてすべての位置情報が選択されたか否かを判断する。未選択の位置情報があれば、処理がステップＳ４３に進められる。すべての位置情報が選択されていれば、処理がステップＳ５１に進められる。
【００８２】
［ステップＳ５１］表示対象広告決定部１６０は、表示対象ページデータに付与する広告領域をＮ分割する。
［ステップＳ５２］表示対象広告決定部１６０は、ポイントの高いＮ個の広告を表示対象広告として選択する。
【００８３】
次に、写真データから１つの位置情報のみ抽出され、その位置情報と一致する位置情報を有する広告がある場合の広告選択処理について説明する。
図１２は、単一の位置情報に基づくカテゴリ対応広告選択処理の手順を示すフローチャートである。以下、図１２に示す処理をステップ番号に沿って説明する。
【００８４】
［ステップＳ６１］表示対象広告決定部１６０は、写真データから抽出され、広告の位置情報と合致した単一の位置情報を取得する。
［ステップＳ６２］表示対象広告決定部１６０は、取得した位置情報と同じ位置の広告を判別する。具体的には、表示対象広告決定部１６０は、広告管理テーブル１２２から、取得した位置情報に対して所定の誤差の範囲内で合致する位置情報が登録されている広告を判別する。
【００８５】
［ステップＳ６３］表示対象広告決定部１６０は、広告管理テーブル１２２を参照し、ステップＳ６２で判別された広告のカテゴリを判定する。
［ステップＳ６４］表示対象広告決定部１６０は、選択した位置情報が示す位置に近い広告を近傍広告数Ｘ（Ｘは、１以上の自然数）に絞り込む。具体的には、表示対象広告決定部１６０は、広告管理テーブル１２２を参照し、各広告の位置情報に示される緯度・経度と、ステップＳ６１で取得した位置情報で示される緯度・経度とから、取得した位置情報で示される位置と広告対象の位置との距離を計算する。そして、表示対象広告決定部１６０は、取得した位置情報に近い位置情報を有する広告から順に近傍広告数Ｘ分の広告を選択する。
【００８６】
［ステップＳ６５］表示対象広告決定部１６０は、ステップＳ６３で判定したカテゴリで広告をさらに絞り込む。具体的には、表示対象広告決定部１６０は、ステップＳ６４で選択した広告から、ステップＳ６３で判定したカテゴリの広告を検索する。
【００８７】
［ステップＳ６６］表示対象広告決定部１６０は、写真データの位置情報への近さに応じたポイントを、ステップＳ６５でヒットした広告に対して付与する。すなわち、写真データの位置情報と広告の位置情報との間の距離が近い程、高いポイントが与えられる。
【００８８】
［ステップＳ６７］表示対象広告決定部１６０は、ポイントの高い広告を所定数選択し、表示対象広告とする。
次に、写真データから複数の位置情報が抽出され、抽出された位置情報の中に、広告の位置情報と合致する位置情報が複数ある場合の広告選択処理について説明する。
【００８９】
図１３は、複数の位置情報に基づくカテゴリ対応広告選択処理の手順を示すフローチャートである。以下、図１３に示す処理をステップ番号に沿って説明する。
［ステップＳ７１］表示対象広告決定部１６０は、写真データから抽出され、広告の位置情報と合致した複数の位置情報を取得する。
【００９０】
［ステップＳ７２］表示対象広告決定部１６０は、異なった位置情報の数をＮとする。
［ステップＳ７３］表示対象広告決定部１６０は、未選択の位置情報の中から、位置情報を１つ選択する。
【００９１】
［ステップＳ７４］表示対象広告決定部１６０は、選択した位置情報と同じ位置の広告を判別する。具体的には、表示対象広告決定部１６０は、広告管理テーブル１２２から、選択した位置情報に対して所定の誤差の範囲内で合致する位置情報が登録されている広告を判別する。
【００９２】
［ステップＳ７５］表示対象広告決定部１６０は、広告管理テーブル１２２を参照し、ステップＳ７４で判別された広告のカテゴリを判定する。
［ステップＳ７６］表示対象広告決定部１６０は、選択した位置情報が示す位置に近い広告を近傍広告数Ｘ（Ｘは、１以上の自然数）に絞り込む。具体的には、表示対象広告決定部１６０は、広告管理テーブル１２２を参照し、各広告の位置情報に示される緯度・経度と、ステップＳ６１で取得した位置情報で示される緯度・経度とから、取得した位置情報で示される位置と広告対象の位置との距離を計算する。そして、表示対象広告決定部１６０は、取得した位置情報に近い位置情報を有する広告から順に近傍広告数Ｘ分の広告を選択する。
【００９３】
［ステップＳ７７］表示対象広告決定部１６０は、ステップＳ７５で判定したカテゴリで広告をさらに絞り込む。具体的には、表示対象広告決定部１６０は、ステップＳ７４で選択した広告から、ステップＳ７５で判定したカテゴリの広告を検索する。
【００９４】
［ステップＳ７８］表示対象広告決定部１６０は、写真データの位置情報への近さに応じたポイントを、ステップＳ６５でヒットした広告に対して付与する。すなわち、写真データの位置情報と広告の位置情報との間の距離が近い程、高いポイントが与えられる。
【００９５】
［ステップＳ７９］表示対象広告決定部１６０は、ステップＳ７３においてすべての位置情報が選択されたか否かを判断する。未選択の位置情報があれば、処理がステップＳ７３に進められる。すべての位置情報が選択されていれば、処理がステップＳ８０に進められる。
【００９６】
［ステップＳ８０］表示対象広告決定部１６０は、表示対象ページデータに付与する広告領域をＮ分割する。
［ステップＳ８１］表示対象広告決定部１６０は、ポイントの高いＮ個の広告を表示対象広告として選択する。
【００９７】
次に、写真データから１つの位置情報のみ抽出され、その位置情報近くの位置情報を有する広告を選択する場合の広告選択処理について説明する。
図１４は、単一の位置情報に基づく広告選択処理の手順を示すフローチャートである。以下、図１４に示す処理をステップ番号に沿って説明する。
【００９８】
［ステップＳ９１］表示対象広告決定部１６０は、写真データから抽出された単一の位置情報を取得する。
［ステップＳ９２］表示対象広告決定部１６０は、選択した位置情報が示す位置に近い広告を近傍広告数Ｘ（Ｘは、１以上の自然数）に絞り込む。具体的には、表示対象広告決定部１６０は、広告管理テーブル１２２を参照し、各広告の位置情報に示される緯度・経度と、ステップＳ９１で取得した位置情報で示される緯度・経度とから、取得した位置情報で示される位置と広告対象の位置との距離を計算する。そして、表示対象広告決定部１６０は、取得した位置情報に近い位置情報を有する広告から順に近傍広告数Ｘ分の広告を選択する。
【００９９】
［ステップＳ９３］表示対象広告決定部１６０は、写真データの位置情報への近さに応じたポイントを、ステップＳ９２で選択した広告に対して付与する。すなわち、写真データの位置情報と広告の位置情報との間の距離が近い程、高いポイントが与えられる。
【０１００】
［ステップＳ９４］表示対象広告決定部１６０は、ポイントの高い広告を所定数選択し、表示対象広告とする。
次に、写真データから複数の位置情報が抽出され、各位置情報近くの位置情報を有する広告を選択する場合の広告選択処理について説明する。
【０１０１】
図１５は、複数の位置情報に基づく広告選択処理の手順を示すフローチャートである。以下、図１５に示す処理をステップ番号に沿って説明する。
［ステップＳ１０１］表示対象広告決定部１６０は、写真データから抽出された複数の位置情報を取得する。
【０１０２】
［ステップＳ１０２］表示対象広告決定部１６０は、異なった位置情報の数をＮとする。
［ステップＳ１０３］表示対象広告決定部１６０は、未選択の位置情報の中から、位置情報を１つ選択する。
【０１０３】
［ステップＳ１０４］表示対象広告決定部１６０は、選択した位置情報が示す位置に近い広告を近傍広告数Ｘ（Ｘは、１以上の自然数）に絞り込む。具体的には、表示対象広告決定部１６０は、広告管理テーブル１２２を参照し、各広告の位置情報に示される緯度・経度と、ステップＳ６１で取得した位置情報で示される緯度・経度とから、取得した位置情報で示される位置と広告対象の位置との距離を計算する。そして、表示対象広告決定部１６０は、取得した位置情報に近い位置情報を有する広告から順に近傍広告数Ｘ分の広告を選択する。
【０１０４】
［ステップＳ１０５］表示対象広告決定部１６０は、写真データの位置情報への近さに応じたポイントを、ステップＳ１０４で選択した広告に対して付与する。すなわち、写真データの位置情報と広告の位置情報との間の距離が近い程、高いポイントが与えられる。
【０１０５】
［ステップＳ１０６］表示対象広告決定部１６０は、ステップＳ１０３においてすべての位置情報が選択されたか否かを判断する。未選択の位置情報があれば、処理がステップＳ１０３に進められる。すべての位置情報が選択されていれば、処理がステップＳ１０７に進められる。
【０１０６】
［ステップＳ１０７］表示対象広告決定部１６０は、表示対象ページデータに付与する広告領域をＮ分割する。
［ステップＳ１０８］表示対象広告決定部１６０は、ポイントの高いＮ個の広告を表示対象広告として選択する。
【０１０７】
以上のようにして、ウェブページに表示される写真の撮影場所を示す位置情報に基づいて、撮影場所付近の施設に関する広告をウェブページ内に表示することができる。以下、街にある施設で撮影した写真を情報提供者２０が自己のウェブサイトで公開した場合を想定し、写真と同時に表示される広告の例を説明する。
【０１０８】
図１６は、街にある施設を示す図である。街の北の外れにはＡＡ競技場５０がある。ＡＡ競技場５０に隣接してショッピングモールが設けられている。このショッピングモールでは、ＣＣ電気店５１、ＫＫレストラン５２、ＲＲレストラン５３などが営業している。また、街の中心部にはＱＱ美術館５４がある。ＱＱ美術館５４の近くには、商業ビルが建てられている。その商業ビルでは、ＦＦ居酒屋５５やＤＤレストラン５６などが営業している。街の南側では、ＥＥ居酒屋５７が営業している。ＥＥ居酒屋５７に隣接して、ＺＺ公園５８がある。ここで、ＣＣ電気店５１、ＫＫレストラン５２、ＲＲレストラン５３、ＱＱ美術館５４、ＦＦ居酒屋５５、ＤＤレストラン５６、およびＥＥ居酒屋５７は、ウェブサーバ１００で広告を提供する広告主である。
【０１０９】
このような街で情報提供者２０が携帯電話機２１で写真撮影し、ウェブサイトで写真を公開するものとする。そのとき、広告主の施設以外で撮影した写真であれば、位置情報のみから、撮影場所近くの施設の広告が表示される。
【０１１０】
図１７は、広告主以外の１つの施設で撮影した写真に応じた広告表示例を示す図である。ウェブページ６０には、ＡＡ競技場５０で撮影した１枚の写真６１が掲載されている。また、写真６１には、コメントが付与されていない。このとき、ＡＡ競技場５０は広告主ではないため、写真６１に付与された位置情報と同じ位置情報を有する広告はない。
【０１１１】
この場合、図１４に示した単一の位置情報に基づく広告選択処理によって広告が選択される。その結果、ＡＡ競技場５０に近い施設の広告が優先的に表示される。図１７の例では、ＣＣ電気店６２、ＫＫレストラン６３、およびＲＲレストラン６４の順で広告６２〜６４が表示されている。
【０１１２】
ウェブページに広告主の施設以外で撮影した写真が複数掲載された場合、各写真の撮影場所近くの施設の広告が表示される。
図１８は、広告主以外の複数の施設で撮影した写真に応じた広告表示例を示す図である。ウェブページ７０には、ＡＡ競技場５０で撮影した写真７１と、ＺＺ公園５８で撮影した写真７２とが掲載されている。また、写真７１，７２には、コメントが付与されていない。このとき、ＡＡ競技場５０とＺＺ公園５８とは広告主ではないため、写真７１，７２に付与された位置情報と同じ位置情報を有する広告はない。
【０１１３】
この場合、図１５に示した複数の位置情報に基づく広告選択処理によって広告が選択される。その結果、ＡＡ競技場５０とＺＺ公園５８とのそれぞれに近い施設の広告が優先的に表示される。図１８の例では、ＣＣ電気店５１、ＥＥ居酒屋５７、ＫＫレストラン５２、およびＲＲレストラン５３の順で広告７３〜７６が表示されている。
【０１１４】
次に、広告主の施設で撮影した写真をウェブページに掲載した場合について説明する。広告主の施設で撮影された写真には、その広告主の施設の位置を示す位置情報が、写真に付与されることとなる。その結果、写真の位置情報と広告の位置情報とが合致し、合致した広告に加え、その広告とカテゴリが共通する他の広告が表示される。
【０１１５】
図１９は、広告主の１つの施設で撮影した写真に応じた広告表示例を示す図である。ウェブページ８０には、ＤＤレストラン５６で撮影した１枚の写真８１が掲載されている。また、写真８１には、コメントが付与されていない。このとき、ＤＤレストラン５６は広告主であるため、写真８１に付与された位置情報と同じ位置情報を有する広告が存在する。
【０１１６】
この場合、図１２に示した単一の位置情報に基づくカテゴリ対応広告選択処理によって広告が選択される。その結果、位置情報が合致した広告と同じカテゴリの広告のうち、写真の撮影場所に近い位置情報を有する広告が優先的に表示される。
【０１１７】
なお、図１６を参照すると、ＤＤレストラン５６と同じビルにＦＦ居酒屋５５が入っている。ＦＦ居酒屋５５も広告主である。すると、ＤＤレストラン５６の広告に加えＦＦ居酒屋５５の広告も、ＤＤレストラン５６で撮影した写真８１の位置情報と同じ位置情報を有している。そのため、ＤＤレストラン５６で撮影した写真８１の位置情報と同じ位置情報を有する広告のカテゴリとして、「レストラン」と「居酒屋」が選択される。その結果、ウェブページ８０には、ＤＤレストラン５６、ＦＦ居酒屋５５、ＥＥ居酒屋５７の広告８２〜８４が表示される。
【０１１８】
広告主の複数の施設で撮影した写真をウェブページに掲載した場合、それぞれの写真の位置情報に合致する広告と同一のカテゴリの広告が表示される。
図２０は、広告主の複数の施設で撮影した写真に応じた広告表示例を示す図である。ウェブページ９０には、ＣＣ電気店５１で撮影した写真９１、ＱＱ美術館５４で撮影した写真９２、ＤＤレストラン５６で撮影した写真９３、およびＥＥ居酒屋５７で撮影した写真９４が掲載されている。また、各写真９１〜９４には、コメントが付与されていない。このとき、各写真を撮影した施設は広告主であるため、写真８１に付与された位置情報と同じ位置情報を有する広告が存在する。
【０１１９】
この場合、図１３に示した複数の位置情報に基づくカテゴリ対応広告選択処理によって広告が選択される。その結果、位置情報が合致した広告と同じカテゴリの広告のうち、写真の撮影場所に近い位置情報を有する広告９５〜９９が優先的に表示される。
【０１２０】
写真と共にコメントが付与されていた場合、コメントに示されるカテゴリに基づいて、広告が絞り込まれる。
図２１は、１つの施設で撮影した写真のコメントに応じた広告表示例を示す図である。ウェブページ２１０には、ＤＤレストラン５６で撮影した複数の写真２１１〜２１４が掲載されている。各写真２１１〜２１４は同じ場所で撮影されているため、同一の位置情報を有している。従って、広告の選択に使用される位置情報は１つだけである。
【０１２１】
また、写真２１１〜２１４に対して「レストランで乾杯」というコメントが付与されている。このコメントから「レストラン」というカテゴリを表す文字列が抽出できる。この場合、図１０に示した単一の位置情報に基づくコメント対応広告選択処理によって広告が選択される。その結果、レストランの広告のうち、ＤＤレストラン５６に近い順に優先的に広告２１５〜２１７が表示される。図１９と比較すると、図２１のウェブページ２１０では、ＦＦ居酒屋５５の広告が表示されていない。これはコメントに基づいて、「レストラン」というカテゴリでの絞り込みが可能となったためである。
【０１２２】
複数の場所で撮影された写真それぞれにコメントが付与される場合もある。この場合、各コメントに示されるカテゴリに基づいてカテゴリが絞り込まれる。
図２２は、複数の施設で撮影した写真のコメントに応じた広告表示例を示す図である。ウェブページ２２０には、ＣＣ電気店５１で撮影した写真２２１、ＱＱ美術館５４で撮影した写真２２２、ＤＤレストラン５６で撮影した複数の写真２２３、およびＥＥ居酒屋５７で撮影した写真２２４が掲載されている。各写真２２１〜２２４は異なる場所で撮影されているため、個別の位置情報を有している。従って、広告の選択は、複数の位置情報に基づいて行われる。
【０１２３】
この場合、図１１に示した複数の位置情報に基づくコメント対応広告選択処理によって広告が選択される。その結果、ＣＣ電気店５１、ＱＱ美術館５４、ＤＤレストラン５６、およびＥＥ居酒屋５７それぞれの広告２２５〜２２８が表示される。
【０１２４】
このようにして、ウェブページを配信する際に、ウェブページにインライン表示する写真と共に、その写真の撮影場所付近の広告主の施設に関する広告画像を配信できる。その結果、ウェブページを閲覧した者は、掲載された写真の撮影場所に興味があれば、同時に表示された広告を選択することで、関連場所の詳細な内容を表示させることができる。
【０１２５】
なお、上記の処理機能は、コンピュータによって実現することができる。その場合、ウェブサーバ１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disc）などがある。
【０１２６】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１２７】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１２８】
なお、本発明は、上述の実施の形態にのみ限定されるものではなく、本発明の要旨を逸脱しない範囲内において種々の変更を加えることができる。
以上説明した実施の形態の主な技術的特徴は、以下の付記の通りである。
【０１２９】
（付記１）  ネットワークを介してコンテンツを配信するコンテンツ配信サーバにおいて、
コンテンツの内容を示すと共にコンテンツ内に表示する写真データを指定する記述が含まれた電子文書、および撮影場所を示す位置情報が付与された写真データを記憶するコンテンツ記憶手段と、
広告対象施設の場所を示す位置情報に対応付けられた複数の広告画像を記憶する広告情報記憶手段と、
前記ネットワークを介して接続されたユーザ装置からコンテンツの閲覧要求を受け付ける閲覧要求受付手段と、
前記閲覧要求で指定されたコンテンツの内容を示す電子文書を前記コンテンツ記憶手段から取得し、取得した電子文書で表示対象として指定されている写真データを表示対象画像と判定する表示対象画像判定手段と、
前記表示対象画像に付与された位置情報を取得し、取得した位置情報と前記コンテンツ記憶手段内の複数の広告画像それぞれの位置情報とから、前記表示対象画像の撮影場所と複数の広告対象施設それぞれとの距離を計算し、前記表示対象画像の撮影場所との間の距離が近い広告対象施設の広告画像を優先的に表示対象に決定する表示対象広告決定手段と、
前記閲覧要求で指定されたコンテンツの内容を示す電子文書に対して、前記表示対象広告決定手段で表示対象に決定された広告画像を表示させるための広告表示記述を追加する広告付与手段と、
前記広告付与手段で広告表示記述が追加された電子文書を前記ユーザ装置に送信する電子文書送信手段と、
を有するコンテンツ配信サーバ。
【０１３０】
（付記２）  前記広告情報記憶手段には、広告画像に対応付けて、広告対象施設のカテゴリが登録されており、
前記表示対象広告決定手段は、前記表示対象画像の位置情報と同じ場所を示す位置情報が対応付けられた広告画像を検出し、前記広告情報記憶手段を参照して、検出した広告画像のカテゴリを判断し、検出した広告画像と同一カテゴリの広告画像の中から、前記撮影場所との間の距離が近い広告対象施設の広告画像を優先的に表示対象に決定することを特徴とする付記１記載のコンテンツ配信サーバ。
【０１３１】
（付記３）  前記広告情報記憶手段には、前記広告画像に対応付けて、広告対象施設のカテゴリが登録されており、
前記表示対象画像判定手段は、前記閲覧要求で指定されたコンテンツにおいて表示対象画像に対するコメントが付与されていた場合、付与されているコメントを抽出し、
前記表示対象広告決定手段は、前記表示対象画像判定手段によって抽出されたコメントからカテゴリを示す文字列を検索し、検出された文字列で示されるカテゴリと同一カテゴリの広告画像の中から、前記撮影場所との間の距離が近い広告対象施設の広告画像を優先的に表示対象に決定することを特徴とする付記１記載のコンテンツ配信サーバ。
【０１３２】
（付記４）  前記表示対象画像判定手段は、前記閲覧要求で指定されたコンテンツ内の前記表示対象画像の表示位置を示すタグの前後に記載されている文字列を、前記表示対象画像のコメントと判断することを特徴とする付記３記載のコンテンツ配信サーバ。
【０１３３】
（付記５）  前記広告情報記憶手段には、前記広告画像に対応付けて、広告対象施設のカテゴリが登録されており、
前記表示対象画像判定手段は、前記閲覧要求で指定されたコンテンツにおいて表示対象画像に対するコメントが付与されていた場合、付与されているコメントを抽出し、
前記表示対象広告決定手段は、前記表示対象画像判定手段が抽出したコメントからカテゴリを示す文字列を検索し、該当文字列が検出できた場合、検出された文字列で示されるカテゴリと同一カテゴリの広告画像の中から、前記撮影場所との間の距離が近い広告対象施設の広告画像を優先的に表示対象に決定し、前記表示対象画像に対してコメントが付与されていない場合および付与されていたコメントからカテゴリを示す文字列が検出できなかった場合、前記表示対象画像の位置情報と同じ場所を示す位置情報が対応付けられた広告画像を検出し、前記広告情報記憶手段を参照して、検出した広告画像のカテゴリを判断し、検出した広告画像と同一カテゴリの広告画像の中から、前記撮影場所との間の距離が近い広告対象施設の広告画像を優先的に表示対象に決定することを特徴とする付記１記載のコンテンツ配信サーバ。
【０１３４】
（付記６）  前記表示対象広告決定手段は、前記表示対象画像に対してコメントが付与されていない場合および付与されていたコメントからカテゴリを示す文字列が検出できなかった場合であり、前記表示対象画像の位置情報と同じ場所を示す位置情報が対応付けられた広告画像が検出できなかった場合、すべての広告画像の中から、前記撮影場所との間の距離が近い広告対象施設の広告画像を優先的に表示対象に決定することを特徴とする付記５記載のコンテンツ配信サーバ。
【０１３５】
（付記７）  前記表示対象広告決定手段は、前記表示対象画像が複数ある場合、複数の前記表示対象画像のいずれかとの間の距離が近い広告画像を優先的に表示対象に決定することを特徴とする付記１記載のコンテンツ配信サーバ。
【０１３６】
（付記８）  前記コンテンツ記憶手段に格納された写真データは、位置情報として撮影場所の緯度・経度が付与されていることを特徴とする付記１記載のコンテンツ配信サーバ。
【０１３７】
（付記９）  前記広告情報記憶手段には、広告画像が格納された複数の広告画像ファイルと、広告の位置情報と広告画像ファイルとの対応関係が登録された広告管理テーブルとが格納されていることを特徴とする付記１記載のコンテンツ配信サーバ。
【０１３８】
（付記１０）  前記広告管理テーブルには、位置情報として、広告対象施設の緯度・経度が登録されていることを特徴とする付記９記載のコンテンツ配信サーバ。
（付記１１）  ネットワークを介してコンテンツをコンピュータで配信するためのコンテンツ配信プログラムであって、
前記コンピュータを、
コンテンツの内容を示すと共にコンテンツ内に表示する写真データを指定する記述が含まれた電子文書、および撮影場所を示す位置情報が付与された写真データを記憶するコンテンツ記憶手段、
広告対象施設の場所を示す位置情報に対応付けられた複数の広告画像を記憶する広告情報記憶手段、
前記ネットワークを介して接続されたユーザ装置からコンテンツの閲覧要求を受け付ける閲覧要求受付手段、
前記閲覧要求で指定されたコンテンツの内容を示す電子文書を前記コンテンツ記憶手段から取得し、取得した電子文書で表示対象として指定されている写真データを表示対象画像と判定する表示対象画像判定手段、
前記表示対象画像に付与された位置情報を取得し、取得した位置情報と前記コンテンツ記憶手段内の複数の広告画像それぞれの位置情報とから、前記表示対象画像の撮影場所と複数の広告対象施設それぞれとの距離を計算し、前記表示対象画像の撮影場所との間の距離が近い広告対象施設の広告画像を優先的に表示対象に決定する表示対象広告決定手段、
前記閲覧要求で指定されたコンテンツの内容を示す電子文書に対して、前記表示対象広告決定手段で表示対象に決定された広告画像を表示させるための広告表示記述を追加する広告付与手段、
前記広告付与手段で広告表示記述が追加された電子文書を前記ユーザ装置に送信する電子文書送信手段、
として機能させるコンテンツ配信プログラム。
【０１３９】
（付記１２）  ネットワークを介してコンテンツをコンピュータで配信するためのコンテンツ配信方法であって、
前記コンピュータが、
前記ネットワークを介して接続されたユーザ装置からコンテンツの閲覧要求を受け付け、
コンテンツの内容を示すと共にコンテンツ内に表示する写真データを指定する記述が含まれた電子文書、および撮影場所を示す位置情報が付与された写真データを記憶するコンテンツ記憶手段から、前記閲覧要求で指定されたコンテンツの内容を示す電子文書を取得し、取得した電子文書で表示対象として指定されている写真データを表示対象画像と判定し、
前記表示対象画像に付与された位置情報を取得し、複数の広告画像それぞれに対応付けて広告情報記憶手段に記憶された広告対象施設の場所を示す位置情報と、取得した位置情報とから、前記表示対象画像の撮影場所と複数の広告対象施設それぞれとの距離を計算し、前記表示対象画像の撮影場所との間の距離が近い広告対象施設の広告画像を優先的に表示対象に決定し、
前記閲覧要求で指定されたコンテンツの内容を示す電子文書に対して、表示対象に決定された広告画像を表示させるための広告表示記述を追加し、
広告表示記述が追加された電子文書を前記ユーザ装置に送信する、
コンテンツ配信方法。
【図面の簡単な説明】
【０１４０】
【図１】実施の形態の概要を示す図である。
【図２】本実施の形態のシステム構成例を示す図である。
【図３】本実施の形態に用いるウェブサーバのハードウェア構成例を示す図である。
【図４】ポータルサイトのウェブサーバの機能を示すブロック図である。
【図５】個人サイト情報記憶部のデータ構造例を示す図である。
【図６】写真データのデータ構造例を示す図である。
【図７】広告情報記憶部のデータ構造例を示す図である。
【図８】広告管理テーブルのデータ構造例を示す図である。
【図９】ウェブページ配信処理の手順を示すフローチャートである。
【図１０】単一の位置情報に基づくコメント対応広告選択処理の手順を示すフローチャートである。
【図１１】複数の位置情報に基づくコメント対応広告選択処理の手順を示すフローチャートである。
【図１２】単一の位置情報に基づくカテゴリ対応広告選択処理の手順を示すフローチャートである。
【図１３】複数の位置情報に基づくカテゴリ対応広告選択処理の手順を示すフローチャートである。
【図１４】単一の位置情報に基づく広告選択処理の手順を示すフローチャートである。
【図１５】複数の位置情報に基づく広告選択処理の手順を示すフローチャートである。
【図１６】街にある施設を示す図である。
【図１７】広告主以外の１つの施設で撮影した写真に応じた広告表示例を示す図である。
【図１８】広告主以外の複数の施設で撮影した写真に応じた広告表示例を示す図である。
【図１９】広告主の１つの施設で撮影した写真に応じた広告表示例を示す図である。
【図２０】広告主の複数の施設で撮影した写真に応じた広告表示例を示す図である。
【図２１】１つの施設で撮影した写真のコメントに応じた広告表示例を示す図である。
【図２２】複数の施設で撮影した写真のコメントに応じた広告表示例を示す図である。
【符号の説明】
【０１４１】
１  コンテンツ配信サーバ
１ａ  コンテンツ記憶手段
１ｂ  広告情報記憶手段
１ｃ  閲覧要求受付手段
１ｄ  表示対象画像判定手段
１ｅ  表示対象広告決定手段
１ｆ  広告付与手段
１ｇ  電子文書送信手段
２  ユーザ装置
【図１】
2009211422.tif 000003
【図２】
2009211422.tif 000004
【図３】
2009211422.tif 000005
【図４】
2009211422.tif 000006
【図５】
2009211422.tif 000007
【図６】
2009211422.tif 000008
【図７】
2009211422.tif 000009
【図８】
2009211422.tif 000010
【図９】
2009211422.tif 000011
【図１０】
2009211422.tif 000012
【図１１】
2009211422.tif 000013
【図１２】
2009211422.tif 000014
【図１３】
2009211422.tif 000015
【図１４】
2009211422.tif 000016
【図１５】
2009211422.tif 000017
【図１６】
2009211422.tif 000018
【図１７】
2009211422.tif 000019
【図１８】
2009211422.tif 000020
【図１９】
2009211422.tif 000021
【図２０】
2009211422.tif 000022
【図２１】
2009211422.tif 000023
【図２２】
2009211422.tif 000024